(57)【要約】  本明細書には、ＡＲＤＳ発症について、患者をリアルタイムでモニタリングし、様々な治療パターンとＡＲＤＳバイオマーカースコアとの相関に基づいたバイオマーカー主導による換気治療推薦ツールを提供するアプローチが開示される。ＡＲＤＳバイオマーカーが、患者のＡＲＤＳリスクは高いことを示すと、推薦ツールは、臨床実践に基づき、可能な治療手段を提案する。ＡＲＤＳ検出モデルによって出力される高いスコアに反応して、ツールは、肺保護換気戦略（低い１回換気量、高い呼吸終末陽圧（ＰＥＥＰ））を開始するように推薦を出力する。高いＡＲＤＳスコアは、現行の臨床実践下で通常開始される治療介入までの数時間前まで当該治療介入の妥当性を予測するものとして認識されている。
2018512237.tif 000002
【特許請求の範囲】
【請求項１】
急性呼吸促迫症候群集中治療設定の治療ガイダンスツールであって、
表示デバイスと、
１つ以上のプロセッサと、
を含み、
前記１つ以上のプロセッサは、
患者の測定された生理的変数に基づいて、前記患者が急性呼吸促迫症候群を有するかどうかを示す急性呼吸促迫症候群（ＡＲＤＳ）スコアを計算し、
計算された前記ＡＲＤＳスコアに基づいて、換気治療推薦を生成し、
前記表示デバイス上に、前記換気治療推薦の表現を表示する、治療ガイダンスツール。
【請求項２】
前記ＡＲＤＳスコアは、
前記患者の複数の生理的変数の値を受信し、
前記患者の前記複数の生理的変数の受信した前記値に少なくとも基づいて、前記ＡＲＤＳスコアを計算し、
前記表示デバイス上に、計算された前記ＡＲＤＳスコアの表現を表示することによって計算される、請求項１に記載の治療ガイダンスツール。
【請求項３】
前記１つ以上のプロセッサは更に、ＡＲＤＳスコア閾値を上回ると前記患者はＡＲＤＳのリスクが高いと決定される当該ＡＲＤＳスコア閾値を計算する、請求項１又は２に記載の治療ガイダンスツール。
【請求項４】
前記１つ以上のプロセッサは、前記患者の換気戦略の推薦を含む、計算された前記ＡＲＤＳスコアに基づいた前記換気治療推薦を生成する、請求項１乃至３の何れか一項に記載の治療ガイダンスツール。
【請求項５】
前記１つ以上のプロセッサは、（１）従来換気戦略、及び、（２）保護換気戦略の一方として、計算された前記ＡＲＤＳスコアを閾値化することに基づいて、前記患者の換気戦略の前記推薦を生成する、請求項４に記載の治療ガイダンスツール。
【請求項６】
前記従来換気戦略は、１０ｍｌ／ｋｇ以上、１５ｍｌ／ｋｇ以下の推薦１回換気量を含み、
前記保護換気戦略は、４ｍｌ／ｋｇ以上、８ｍｌ／ｋｇ以下の推薦１回換気量を含む、請求項５に記載の治療ガイダンスツール。
【請求項７】
前記従来換気戦略は、５ｃｍＨ２Ｏ以上、１２ｃｍＨ２Ｏ以下の推薦呼吸終末陽圧（ＰＥＥＰ）を含み、
前記保護換気戦略は、１２ｃｍＨ２Ｏより大きい推薦ＰＥＥＰを含む、請求項５又は６に記載の治療ガイダンスツール。
【請求項８】
前記１つ以上のプロセッサは、前記表示デバイス上に、前記換気治療推薦の前記表現を、前記推薦の計画対象期間の指示と共に表示し、指示された前記計画対象期間は、２時間以下である、請求項５乃至７の何れか一項に記載の治療ガイダンスツール。
【請求項９】
前記ＡＲＤＳスコアは、範囲［０，１］内にあるか、又は、範囲［０％，１００％］内の百分率であり、前記閾値化は、少なくとも０．８又は８０％の閾値を使用する、請求項５乃至８の何れか一項に記載の治療ガイダンスツール。
【請求項１０】
前記１つ以上のプロセッサは更に、前記ＡＲＤＳスコアを、リアルタイムに連続的に計算する、請求項１乃至９の何れか一項に記載の治療ガイダンスツール。
【請求項１１】
前記ＡＲＤＳスコアは、少なくとも心拍数、呼吸数及び血圧を含む前記患者の測定された生理的変数に基づいて計算される、請求項１乃至１０の何れか一項に記載の治療ガイダンスツール。
【請求項１２】
前記１つ以上のプロセッサは、グラフィカルユーザインターフェースを使用して、前記表示デバイス上に、前記換気治療推薦の前記表現を表示する、請求項１乃至１１の何れか一項に記載の治療ガイダンスツール。
【請求項１３】
患者を治療する方法であって、
前記患者の生理的変数をモニタリングするステップと、
プロセッサを使用して、
モニタリングされた前記生理的変数に基づいて、前記患者の急性呼吸促迫症候群（ＡＲＤＳ）スコアを計算し、
計算された前記ＡＲＤＳスコアに基づいて、前記患者の機械的換気推薦を生成するステップと、
表示デバイス上に、前記患者の前記機械的換気推薦を表示するステップと、
を含む、方法。
【請求項１４】
前記計算するステップは、心拍数、呼吸数及び血圧を含むモニタリングされた前記生理的変数に基づいて、リアルタイムで前記ＡＲＤＳスコアを計算するステップを含む、請求項１３に記載の方法。
【請求項１５】
前記生成するステップは、計算された前記ＡＲＤＳスコアを閾値化するステップと、前記閾値化に基づいて、前記機械的換気推薦を生成するステップと、を含む、請求項１３又は１４に記載の方法。
【請求項１６】
前記生成するステップは、
計算された前記ＡＲＤＳスコアを閾値化するステップと、
前記ＡＲＤＳスコアが閾値を下回る場合は、推薦を提供せず、前記ＡＲＤＳスコアが前記閾値を上回る場合は、保護換気設定の機械的換気を行う推薦を提供するステップと、を含む、請求項１３又は１４に記載の方法。
【請求項１７】
従来換気設定は、１０ｍｌ／ｋｇ以上、１５ｍｌ／ｋｇ以下の１回換気量を含み、
前記保護換気設定は、４ｍｌ／ｋｇ以上、８ｍｌ／ｋｇ以下の１回換気量を含む、請求項１６に記載の方法。
【請求項１８】
前記従来換気設定は、５ｃｍＨ２Ｏ以上、１２ｃｍＨ２Ｏ以下の呼吸終末陽圧（ＰＥＥＰ）を含み、
前記保護換気設定は、１２ｃｍＨ２Ｏより大きいＰＥＥＰを含む、請求項１６又は１７に記載の方法。
【請求項１９】
前記ＡＲＤＳスコアは、範囲［０，１］内にあるか、又は、範囲［０％，１００％］内の百分率であり、前記閾値は、０．８又は８０％である、請求項１６乃至１８の何れか一項に記載の方法。
【発明の詳細な説明】
【技術分野】
【０００１】
以下は、医用モニタリング技術、臨床決定支援システム技術、集中治療モニタリング及び患者評価技術、並びに、患者機械的換気技術等に関する。
【背景技術】
【０００２】
急性呼吸促迫症候群（ＡＲＤＳ）は、急性疾患の壊滅的な合併症であり、集中治療室（ＩＣＵ）での複数臓器不全及び死亡の主要原因の１つである。急性呼吸促迫症候群（ＡＲＤＳ）は、全ＩＣＵ患者の間で７〜１０％の有病率であると推定され、また、退院後、４０％以上という高死亡率を示す。しかし、ＡＲＤＳ患者のうち、ＩＣＵ医師によって検出されるのは３分の１未満である。様々な実施形態のＡＲＤＳ検出が、２０１３年８月２２日に公開されたＶａｉｒａｖａｎ他による国際特許公開ＷＯ２０１３／１２１３７４Ａ２に記載されている。これは、参照することによりその全体が本明細書に組み込まれる。
【発明の概要】
【発明が解決しようとする課題】
【０００３】
以下は、上記制限等を解決する改良された装置及び方法を検討する。
【課題を解決するための手段】
【０００４】
一態様によれば、急性呼吸促迫症候群集中治療設定の治療ガイダンスツールは、治療を推薦するために、ＡＲＤＳスコアをバイオマーカーとして使用する１つ以上のプロセッサを含む。
【０００５】
別の態様によれば、急性呼吸促迫症候群集中治療設定をガイドする方法は、治療を推薦するために、ＡＲＤＳスコアをバイオマーカーとして含む。
【０００６】
別の態様によれば、急性呼吸促迫症候群のリスクにある患者の換気戦略を推薦する装置は、患者の生理的変数をモニタリングするベッドサイドモニタと、１つ以上のプロセッサとを含み、１つ以上のプロセッサは、所与の時間に分析されるＡＲＤＳスコアに基づいて予測推論を計算し、計算された予測推論が、将来において起きる可能性のあるＡＲＤＳを決定するように患者の現在のＡＲＤＳスコアを連続的にモニタリングし、起きる可能性のあるＡＲＤＳを決定後、アラートを生成する。
【０００７】
１つの利点は、ＡＲＤＳリスクのリアルタイムアラートにある。
【０００８】
別の利点は、ＡＲＤＳバイオマーカーの連続モニタリングにある。
【０００９】
別の利点は、介入治療の人工呼吸器設定を提案することにある。
【００１０】
多数の追加的な利点及びメリットは、以下の詳細な説明を読んだ後、当業者には明らかとなろう。
【図面の簡単な説明】
【００１１】
本願は、様々なコンポーネント及びコンポーネントの構成、また、様々な処理動作及び処理動作の構成の形を取ってよい。図面は、好適な実施形態を例示することのみを目的とし、本願を限定するものと解釈されるべきではない。
【００１２】
【図１】図１は、ベッドサイドモニタ及びナースステーションにおいて急性呼吸促迫症候群（ＡＲＤＳ）についてモニタリングされる集中治療室（ＩＣＵ）内の患者を概略的に示す。ナースステーションでは、ＩＣＵにおける他の患者と共にモニタリングされる。
【図２】図２は、ＡＲＤＳ検出及び換気推薦アプローチを示す。
【図３】図３は、モニタリングされたＡＲＤＳスコアと換気戦略の変更との相関関係を示す。
【図４】図４は、１回換気量設定を考慮したＡＲＤＳスコアに関する従来換気戦略及び保護換気戦略の比較ボックスプロットを示す。
【図５】図５は、ＰＥＥＰ設定を考慮したＡＲＤＳスコアに関する従来換気戦略及び保護換気戦略の比較ボックスプロットを示す。
【図６】図６は、ＡＲＤＳ換気戦略ツールを示す。
【発明を実施するための形態】
【００１３】
本明細書に開示される技術は、ＡＲＤＳ検出モデルによって出力されるＡＲＤＳリスクの連続スコアを、ＡＲＤＳ発症のバイオマーカーとして使用する。本願は、様々な治療パターンとバイオマーカー自体（ＡＲＤＳスコア）との相関関係に基づくバイオマーカー主導の治療推薦ツールを含む。バイオマーカーが、患者のＡＲＤＳリスクが高いことを示すと、推薦ツールが、臨床実践に基づいて可能な治療手段を提案する。ＡＲＤＳ検出モデルの高いスコアは、肺保護換気戦略（低い１回換気量、高い呼吸終末陽圧（ＰＥＥＰ））とうまく相関するので、ツールは、肺保護治療が患者に適用されるべきであることを示す。高ＡＲＤＳスコアは更に、実際の介入の数時間前に、当該治療を予測する能力を有する。このような情報は、治療推薦となるようにコンピュータ化されると、連続疾病モニタリングと、最適な臨床実践の採用を向上させることとを可能にすると同時に、予防的治療及び介入治療の計画において臨床医を支援する。
【００１４】
図１を参照するに、患者８が、ベッドサイド患者モニタ１０によってモニタリングされ、ベッドサイド患者モニタ１０は、患者８の様々な生理的変数の傾向データを表示する。（本明細書では、「生理的変数」、「バイタルサイン」又は「バイタルズ」といった用語は、同義に使用される。）例えば例示的な心電図（ＥＣＧ）電極１２が、時間の関数として、心拍数及び任意選択的にフルＥＣＧトレースを適切にモニタリングする。例示的な例として、心拍数（ＨＲ）、呼吸数（ＲＲ）、収縮期血圧（ＳＢＰ）、拡張期血圧（ＤＢＰ）、吸入酸素比（ＦｉＯ２）、動脈血酸素分圧（ＰａＯ２）、呼吸終末陽圧（ＰＥＥＰ）、血中ヘモグロビン（Ｈｇｂ）等のうちの１つ以上といった実質的に医用関心のあるどの生理的変数がモニタリングされてもよい。図１には図示されていないが、患者８が人工呼吸器につながれていることも考えられる。
【００１５】
患者モニタ１０は、好適にはグラフィカルディスプレイであるディスプレイ１４を含む。ディスプレイ上に、生理的変数及び任意選択的に他の患者データが、数値表現、グラフィカル表現、傾向線等を使用して表示される。患者モニタ１０は更に、患者モニタ１０の本体に取り付けられる例示的な制御部１６、（このような構成では、適切には、タッチセンサーディスプレイである）ディスプレイ１４に表示されるソフトキー１８のセット、引き出し式キーボード、これらの様々な組み合わせ等といった１つ以上のユーザ入力デバイスを含む。ユーザ入力デバイスによって、看護師又は他の医療専門家は、（例えばモニタリング及び／又は表示される生理的変数又は他の患者データを選択するように）患者モニタ１０を設定でき、また、アラーム設定を設定できる。明示的には示されていないが、患者モニタ１０は、適切な場合、オーディオアラームを出力するスピーカ、視覚的アラームを出力するための１つ以上のＬＥＤ又は他のタイプのランプ等といった他の特徴を含んでよい。
【００１６】
患者モニタ１０は、適切なメモリ及び他の補助電子機器（詳細は省略）に接続されるマイクロプロセッサ、マイクロコントローラ等によって提供されるデータ処理能力を含むか、当該データ処理能力に動作可能に接続されている点で「インテリジェント」モニタである。幾つかの実施形態では、患者モニタ１０は、患者モニタがモニタリングされた患者データの自律的処理を行うことができるように、内蔵型コンピュータ、マイクロプロセッサ等の形の内部データ処理能力を含む。他の実施形態では、患者モニタは、サーバ、又は、他のコンピュータ若しくは患者データの処理を行うデータ処理デバイスに接続される「ダム端末」である。データ処理能力の一部が、患者８に取り付けられる相互通信する身体装着型センサ又はデバイス間で分布すること（例えばメディカルボディエリアネットワーク（ＭＢＡＮ）の形）も考えられる。
【００１７】
例示的な例では、患者８は、例えば医用ＩＣＵ（ＭＩＣＵ）、外科用ＩＣＵ（ＳＩＣＵ）、心疾患集中治療室（ＣＣＵ）、トリアージＩＣＵ（ＴＲＩＣＵ）等である集中治療室（ＩＣＵ）の患者室内に配置される。このような環境では、患者は、通常、（例えば患者の病室内に）患者と共に置かれているベッドサイド患者モニタ１０によって、また更には、ナースステーション２４にある適切なディスプレイ２２を有する電子モニタリングデバイス２０（例えば専用モニタリングデバイス又は適切に設定されたコンピュータ）によってモニタリングされる。通常、ＩＣＵは、１つ以上の上記のようなナースステーションを有し、各ナースステーションは、特定のセットの患者（極端な状況ではわずか１人の患者でもよい）に割り当てられている。有線又は無線通信リンク（両矢印曲線２６によって図示される）が、ベッドサイド患者モニタ１０によって取得された患者データを、ナースステーション２４における電子モニタリングデバイス２０に運ぶ。通信リンク２６は、例えば有線又は無線イーサネット（登録商標）（専用又は病院ネットワークの一部）、ブルートゥース（登録商標）接続等を含む。通信リンク２６は、２方向性リンクであることが考えられる。即ち、データは、ナースステーション２４からベッドサイドモニタ１０にも転送可能である。
【００１８】
ベッドサイド患者モニタ１０は、患者モニタ１０によってモニタリングされた少なくとも１つ又はそれ以上の生理的変数を含む情報に対して、本明細書に開示されるデータ処理を行うことによって急性呼吸促迫症候群（ＡＲＤＳ）を検出及び示す。ベッドサイド患者モニタ１０のディスプレイ１４は、以下に詳細に説明されるＡＲＤＳ換気ツール２８を表示する。更に又は或いは、ナースステーション２４における電子モニタリングデバイス２０も、患者モニタ１０によってモニタリングされた少なくとも１つ又はそれ以上の生理的変数を含む情報に対して、本明細書に開示されるデータ処理を行うことによってＡＲＤＳを検出及び示し、ＡＲＤＳ換気ツール２８を表示してもよい。なお、急性肺損傷（ＡＬＩ）及び急性呼吸促迫症候群（ＡＲＤＳ）との用語は、本明細書では同義に使用される。有利に、本明細書に開示されるＡＲＤＳ検出は、患者モニタ１０によってモニタリングされ、したがって、リアルタイムに入手可能である心拍数（ＨＲ）、呼吸数（ＲＲ）、収縮期血圧（ＳＢＰ）、拡張期血圧（ＤＢＰ）、吸入酸素比（ＦｉＯ２）、呼吸終末陽圧（ＰＥＥＰ）等といった生理的変数に基づいている。ラジオグラフィ報告及び検査所見（例えばＰａＯ２、Ｈｇｂ等）といったより長い取得待ち時間を有する患者データは、使用されないか、又は、ＡＲＤＳが示されているかどうかを評価する際の補助情報として使用される。本明細書に提示される例示的なＡＲＤＳスコアリング例では、ＡＲＤＳモデルに入力されるデータには、バイタルサイン、検査結果及び人工呼吸器設定が含まれる。
【００１９】
様々な実施形態の連続ＡＲＤＳ検出が、２０１３年８月２２日に公開されたＶａｉｒａｖａｎ他による国際特許公開ＷＯ２０１３／１２１３７４Ａ２に記載されている。これは、参照することによりその全体が本明細書に組み込まれる。例えばＬｅｍｐｅｌ−Ｚｉｖ複雑性に基づいたＡＲＤＳ検出を採用した実施形態を使用することができる。図２を参照するに、患者８はＩＣＵ（ブロック３０によって示される）に入れられる。患者を安定させるために、様々な薬物／薬剤（「薬物」及び「薬剤」は、本明細書では同義に使用される）が患者８に投与されるシナリオがある（ブロック３２によって示される）。機械的換気といった他の治療が施されてもよい。図２の例示的なＡＲＤＳ検出アプローチは、心拍数（ＨＲ）、収縮期動脈圧（ＳＢＰ）及び拡張期動脈圧（ＤＢＰ）並びに呼吸数（ＲＲ）を含むバイタルサインデータストリーム３４を、患者８への１つ以上の異なる薬物の投与３２のインスタンスを含む追加の患者データストリーム３６と共に使用する。薬物投与データストリーム３６は、バイナリデータストリーム（例えば値「１」によって示される薬物投与イベント中を除き（任意選択的に離散化された）時間の関数としての値「０」。例えば点滴である時間間隔に亘り投与される薬剤の場合、点滴が投与されないときは、値は「０」であり、点滴の投与中は「１」（又は別の値））といった様々な形を取ってよい。例えば初期投与から薬物が体から腎臓又は他の機構によって取り除かれるまでの患者内（又は関心臓器内）における期待動的薬物濃度をモデル化する時変値といった、他の、値−時間表現も考えられる。
【００２０】
検出プロセッサ４０は、データストリームから、ＡＲＤＳスコアを連続的に計算する。検出プロセッサ４０は、経時的なスコアのプロットの形で、ＡＲＤＳスコアを経時的に出力することができる。検出プロセッサ４０は、例えば２０１３年８月２２日に公開された国際特許公開ＷＯ２０１３／１２１３７４Ａ２に開示されているようなＡＲＤＳ（又はＡＬＩ）アルゴリズムを採用する。例えばここでは、線形判別分析（ＬＤＡ）又は投票システムが、バイタルサイン３４及び任意選択的に他の情報（例えば例示的な薬物投与情報３６、検査結果、人工呼吸器設定等）を集約し、ＡＲＤＳスコアを生成する。本明細書に提示される例示的なＡＲＤＳスコアは、バイタルサイン、検査結果及び人工呼吸器設定を含むデータが入力され、「確率タイプ」範囲［０，１］で出力する国際特許公開ＷＯ２０１３／１２１３７４Ａ２のＬＤＡ集約モデルとして具体化される検出プロセッサ４０を使用して生成されている。より一般的には、検出プロセッサ４０は、患者が急性呼吸促迫症候群を有するか又は急性呼吸促迫症候群に向かう症状を有しているというリスクを示すスコアを生成する他のＡＲＤＳスコアリングアプローチを使用することができる。幾つかの実施形態では、検出プロセッサ４０は、［０，１］以外の範囲で出力する。例えば出力は、範囲０〜１００内の「百分率タイプ」の値である。推薦プロセッサ４２は、所定閾値を考慮してＡＲＤＳスコアをモニタリングし、モニタリングされたスコアに基づいて、例えば換気治療／設定である患者の介入治療を推薦する。推薦プロセッサ４２が、患者８のＡＲＤＳリスクが高いことを検出すると、推薦プロセッサ４２は、最適な臨床実践に基づいて可能な治療手段を提案する。換気戦略は、従来型と保護型とに広く分類される。保護換気戦略は、ＡＲＤＳ患者の死亡率を減少させることが臨床研究において示されている。様々な換気戦略と関連付けられている値の範囲は、次の通りである。
【表１】
2018512237.tif 000003
【００２１】
図３乃至図５を参照するに、ＡＲＤＳ患者相関結果が示され、ＡＲＤＳスコアは、人工呼吸器設定変更インスタンスを予測することを実証している。ＡＲＤＳスコアの換気戦略（上記表に示される人工呼吸器設定による従来型又は保護型）との相関は、患者記録に亘るＡＲＤＳスコアと人工呼吸器設定変更インスタンス（Ｔ＝０ｈｒ）との両方の値を取ることによって評価された。換気戦略のＡＲＤＳスコア（人工呼吸器設定変更の数時間前）との相関が評価されて、ＡＲＤＳスコアの能力を決定して、人工呼吸器設定が予測される。調査期間は人工呼吸器設定変更の前のＴ＝１０、６、５、４、３、２及び１時間であった。
【００２２】
図３を参照するに、ＡＲＤＳスコア３０２が、人工呼吸器の１回換気量（ＶＴ）３０４によって表される換気戦略と比較される。図３では、人工呼吸器の１回換気量（ＶＴ）設定変更は、黒矢印を用いてマーク付けされている。矢印を囲むボックス３０６は、Ｔ＝０時間（人工呼吸器設定変更）に対応するゾーンを示す。ボックス３０８は、Ｔ＝−１０時間におけるＡＲＤＳスコア、即ち、（Ｔ＝０時間における）ＶＴ設定変更の１０時間前に対応するゾーンを表す。
【００２３】
推薦プロセッサ４２は、これらの結果に基づき、ＡＲＤＳスコアの値を分析することによって、予測推論を適切に導出する。推薦プロセッサ４２は、ＡＲＤＳスコアを評価し、これにより、この分析がない場合に、医師が人工呼吸器設定変更を推薦するまでの数時間までの推薦人工呼吸器設定（又は、患者が既に人工呼吸器を付けている場合は、設定変更）を提供することができる。推薦プロセッサ４２は、患者の現在のＡＲＤＳスコアをモニタリングし、予測推論を使用して、換気戦略の変更が推薦されるべきかどうかが決定される。したがって、図３は、ＡＲＤＳスコアが、ＡＲＤＳ患者の人工呼吸器設定を推薦するためのバイオマーカーとして使用できることを実証する。図３では、次の表記、即ち、ＶＴ：１回換気量、ＰＰＬＡＴ：プラトー圧、ＰＥＥＰ：呼吸終末陽圧、ＦｉＯ２：吸入酸素比、ＰａＯ２：血中酸素分圧が使用される。
【００２４】
図４及び図５は、図３に示される様々な時間ゾーン３０６、３０８と、それらの間の時間ゾーンの間に取得されたＡＲＤＳスコアのボックスプロットを示す。図４及び図５では、ボックスプロットは、２５番目、５０番目、７５番目の百分位数とデータのはずれ値を提供する。
【００２５】
図４を特に参照するに、ＡＲＤＳスコア４０２と１回換気量設定との相関４００が示される。図４の上部プロット４０２は、Ｔ＝０時間における１回換気量設定変更に対する様々な時間における保護（Ｐ）及び従来（Ｔ）の１回換気量設定に対応するＡＲＤＳスコアのボックスプロットを示す。閾値４０６は、受信者操作特性曲線（ＲＯＣ）解析によって決定されたＡＲＤＳ検出の最適閾値を示す。中間プロット４０４は、様々な予測時間に対するＲＯＣの曲線の下の面積（ＡＵＣ）を示す。下部プロットは、様々な瞬間における患者の総数を示す。図４では、保護換気戦略（Ｐ）は、４〜８ｍｌ／ｋｇの１回換気量を有するのに対し、従来換気戦略（Ｔ）は、１０〜１５ｍｌ／ｋｇの１回換気量を有する。
【００２６】
図４に示されるように、ＲＯＣのＡＵＣ４０４の統計プロットは、２つの換気戦略間の分離の数量化を示す。時間は、プロットの最右端をＴ＝０として、左端のＴ＝−１０時間に振り返る形で示される。ＡＲＤＳスコア４０２は、所定のＡＲＤＳ閾値スコア４０６との関連でプロットされる。Ｔ＝０において、保護及び従来１回換気量設定に対応するＡＲＤＳスコアは、０．７０のＲＯＣのＡＵＣで分離可能である。図４に示される閾値４０６は、ＲＯＣ解析に基づいたＡＲＤＳ検出の最適閾値である。保護戦略ボックスプロットにおける中央値４１２は、この閾値４０６よりも高い。これは、より高いＡＲＤＳスコアが、保護１回換気量設定と相関されていることを示す。
【００２７】
保護戦略ボックスプロットの中央値４１２は、従来戦略ボックスプロットの中央値４１４よりも常に高い。この関係は、すべての時間ゾーン（Ｔ＝−１０、…、０）に亘って観察される。閾値４０６は、保護戦略ボックスプロットの中央値４１２を、従来戦略ボックスプロットの中央値４１４から最適に離すように選択される。図４から更に見て取れるように、ＡＵＣは、すべての時間ゾーンに亘って保護１回換気量戦略と従来１回換気量戦略との間に優れた分離を示す。これらの結果は、ＡＲＤＳスコアを使用して、保護１回換気量設定を推薦することができることを示す。保護１回換気量戦略と従来１回換気量戦略との間の分離は、早い期間では減少する傾向があるが、分離は、Ｔ＝−２時間（ＡＵＣ＝０．６９）まで強いままである。これは、ＡＲＤＳスコア４０２が、ＡＲＤＳスコアの予測力は早い期間については減少しつつ、Ｔ＝０における換気介入までの２時間前まで予測能力を有することを示唆する。
【００２８】
図４の結果に基づき、保護治療の通りに４〜８ｍｌ／ｋｇの１回換気量（ＡＲＤＳスコアが閾値４０６を上回る場合は適切である）を推薦するかどうかを決定するために、０．８１の閾値４０６が、推薦プロセッサ４２によって適切に適用される。幾つかの実施形態では、アラーム疲労を防ぐために、換気治療は、ＡＲＤＳスコアが高い場合にのみ推薦される。ＡＲＤＳスコアが高い場合、保護換気治療が推薦される。
【００２９】
図５を参照するに、ＡＲＤＳスコア５０２とＰＥＥＰ設定との相関５００が示される。上部プロット５０２は、Ｔ＝０時間における１回換気量設定変更に対する様々な時間における保護及び従来換気設定に対応するＡＲＤＳスコアのボックスプロットを示す。閾値５０６は、ＡＲＤＳ検出の最適閾値を示す。中間プロット５０４は、様々な予測時間に対するＲＯＣ曲線の曲線の下の面積（ＡＵＣ）５０４を示す。下部プロットは、様々な瞬間における患者の総数を示す。図５では、Ｐ：保護換気戦略（ＰＥＥＰ＞１２ｃｍＨ２Ｏ）、Ｔ：従来換気戦略（ＰＥＥＰ＝５〜１２ｃｍＨ２Ｏ）である。
【００３０】
図５では、高いＡＲＤＳスコアは、従来ＰＥＥＰ設定ではなく、保護ＰＥＥＰ設定に相関することが見て取れる。保護治療の中央値５１２は、従来治療の中央値５１４よりも高い。この傾向は、Ｔ＝０時間から開始し、Ｔ＝−１０時間までの様々な期間に亘って観察可能である。しかし、２つの群（保護及び従来）間の分離は、人工呼吸器設定変更までの時間が増加するにつれて減少する傾向がある。したがって、人工呼吸器設定推薦に関するＡＲＤＳスコアの予測性も減少する。
【００３１】
要約するに、図４及び図５において実証されたように、高いＡＲＤＳスコアは、低い１回換気量設定と相関し、更に、高いＰＥＥＰ設定とも相関する。これらの設定は、肺保護換気の特徴的な設定である。したがって、図３乃至図５を参照して説明された結果は、ＡＲＤＳスコアが、従来戦略又は保護戦略の何れかを使用して換気するための推薦を提供するのに適していることを実証し、この予測は、医師が通常そのような調整をする時よりも少なくとも２時間前に信頼性をもってすることができる。
【００３２】
図６を参照するに、推薦プロセッサ４２は、ＡＲＤＳリスクが決定閾値を上回って増加するにつれて、肺保護換気の提案のためのグラフィカルユーザインターフェース（ＧＵＩ）を提供するＡＲＤＳ換気推薦ツール２８を使用する。ＡＲＤＳスコアの予測性によって、換気推薦ツール２８は、ユーザに、低い１回換気量設定及び高いＰＥＥＰ設定を、介護者が通常人工呼吸器設定を変更する２〜３時間前に適用するように勧告することができる。上記解析は、輸液といった他の治療的介入、及び、プラトー圧、ＦｉＯ２等といった他の機械的換気設定に対して行われてもよいことが考えられる。
【００３３】
パネル、即ち、ウィンドウは、現在のＡＲＤＳスコアがハイライトされている各患者の選択可能なベッドディスプレイ６０２を表す。別のパネルは、ベッドディスプレイ６０２から選択された患者のプロフィール６０４を表す。ＡＲＤＳスコア６０６（過去、現在及び将来の軌道）が、連続臓器不全評価（ＳＯＦＡ）スコア６０８と並列して表示される。
【００３４】
ＡＲＤＳスコア６０６が、所定閾値、即ち、ＡＲＤＳスコア履歴のレトロスペクティブ分析に基づく最適閾値を上回ると、アラート６１０が、画面上に表示される。アラート６１０をクリックすると、ＡＲＤＳのリスクを減少させるための肺保護換気設定の詳細な推薦と共に治療推薦６１２が開く。一実施形態では、アラート６１０は、介護者が治療推薦６１２を確認するとオフにされる。ＡＲＤＳスコア６０６が、閾値を下回る値（例えばこの例示的な例では、７５）から閾値よりも大きい値に変わる度に、次のアラートがポップアップする。
【００３５】
図１を再び参照するに、ＩＣＵ患者のＡＲＤＳ又は他の関心健康状態を予測する開示技術は、例示的なベッドサイドモニタ１０及び／又は例示的なナースステーションの電子モニタリングデバイス２０の内蔵型コンピュータ、マイクロプロセッサ等によって適切に実現される。当然ながら、開示技術は、開示された検出方法を行うように、このような電子データ処理デバイスによって実行可能な命令を格納する非一時的ストレージ媒体によって具体化されてよい。非一時的ストレージ媒体は、例えばハードディスク若しくは他の磁気ストレージ媒体、ランダムアクセスメモリ（ＲＡＭ）、読出し専用メモリ（ＲＯＭ）、又は、別の電子ストレージ媒体、光学ディスク若しくは他の光学ストレージ媒体、又は、これらの組み合わせ等を含んでよい。
【００３６】
本開示は、好適な実施形態を参照して説明されている。当然ながら、上記詳細な説明を読み、理解した者は、修正及び変更を想到するであろう。本願は、すべてのこれらの修正態様及び変更態様を、それらが添付の請求項又はそれらの等価物の範囲内に該当する限り、含むと解釈されることを意図している。
【図１】
2018512237.tif 000004
【図２】
2018512237.tif 000005
【図３】
2018512237.tif 000006
【図４】
2018512237.tif 000007
【図５】
2018512237.tif 000008
【図６】
2018512237.tif 000009
【国際調査報告】
2018512237.tif 000010
2018512237.tif 000011